(57)【要約】  密閉型ディスペンスバルブユニットを備えたディスペンサーを開示する。該ディスペンサーは、密封容器の口部に固定され、ボタンの上部プレートの中央部を介して内容物を放出する。該ディスペンサーには、該ボタンの中央部分に設けられる出口穴（１００）が含まれる。傾斜内面は、該出口穴の下部分を規定し、垂直内面は、該傾斜内面の上端部から所定の高さに伸びる。また、該ディスペンサーには、ポンプ手段の動作によって選択的に該出口穴の傾斜内面と接触するために、その下部分に傾斜外面を有し、かくして該出口穴を開閉するディスペンスバルブ（２００）も含まれる。さらに、垂直外面は、該傾斜外面の上端部から所定の高さに上向きに伸びる。
2007529375.tif 000002
【特許請求の範囲】
【請求項１】
空気との接触により劣化される高粘度のクリームタイプ化粧品を入れてある密封容器の口部に固定され、凹皿形状のボタンが押されて該ボタン下に設けられたポンプ手段が作動するとき、ボタン上部プレートの中心を介して内容物を放出する、密閉型ディスペンスバルブユニットを備えた、下記を具備するディスペンサー。傾斜内面が該出口穴の下部分を規定し、該傾斜内面の上部分から下部分方向にテーパーが付けられており、垂直内面が該傾斜内面の上端部から所定の高さに伸びる状態で、該ボタンの凹面中央部分に設けられた出口穴と、垂直外面が該傾斜外面の上端部から所定の高さに上向きに伸びる状態で、該ポンプ手段の動作によって選択的に該出口穴の傾斜内面と接触して該出口穴を開閉するために、その下部分に漏斗形傾斜外面を有するディスペンスバルブ。
【請求項２】
該ディスペンスバルブの垂直外面の外径（ｄ）及び高さ（ｔ）が、該出口穴の垂直内面の内径（Ｄ）及び高さ（Ｔ）よりも小さいので、該内容物の一部によって該垂直外面と該垂直内面との間が満たされ、かくしてシーリングフィルムが提供されることを特徴とする請求項１に記載のディスペンサー。
【発明の詳細な説明】
【技術分野】
【０００１】
本発明は一般にディスペンサーに関するものであり、より具体的には、空気との接触によって容易に劣化する高粘度のクリームタイプ化粧品を所定量分注するためのプレートボタンを備え、該化粧品が使用されないときには該ディスペンサーの出口穴が完全に密閉されるため、内容物の変質や変色をより効果的に防止することができ、内容物を長期間にわたって保管できるように構築されている密閉型ディスペンスバルブユニットを備えたディスペンサーに関するものである。
【背景技術】
【０００２】
周知のように、クリームタイプの化粧品、たとえば、栄養クリームまたはマッサージクリームは高油分を含むので、他種化粧品と比較して容易に劣化する。
【０００３】
一般に、かかるクリームタイプ化粧品は、その容器から手で取り出すことができるように、比較的大きな口の容器に保管される。しかし、かかる容器は該化粧品の空気との接触を増加させ、該化粧品の酸化を引き起こす。さらに、該化粧品が該ユーザの指に残存する異物または水分によって劣化し得る。
【０００４】
なお、ディスペンサーは、容器から所定量の内容物を取り出すために種々の分野で広範に用いられている。かかるディスペンサーは以下の通り操作される。
【０００５】
つまり、その所定位置にノズルを有するボタンが押されると、該ボタンの下部分に連結されるシリンダーが圧縮される。したがって、内容物は、該ボタン上の所定位置に設けられた該ノズルを介して取り出される前に細長い経路に沿って流れる。
【０００６】
その細長い経路に沿って内容物を移動させるためには、該内容物が低粘度であることが望ましい。
【０００７】
つまり、フェイシャルローションまたはスキントナー（化粧水）などの比較的低粘度の化粧品の場合、該ディスペンサーが圧縮されると、該化粧品はその細長い経路に沿って容易に移動する。逆に、高粘度のクリームタイプ化粧品の場合、該ディスペンサーのポンプ作用によって該化粧品をその狭い経路に沿って移動させることは非常に困難であるので、該ディスペンサーを用いて該クリームタイプ化粧品を分注することは便利な方法ではない。
【０００８】
かかる問題を解決するために、本発明と同一出願人により出願された韓国実用新案登録番号０２４７１８７が提案されている。該実用新案は、容器の上部分が密閉して覆われ、該ディスペンサーの上部分に固定されるプレートボタンを備え、該ボタンの中心に出口穴が形成されているディスペンサーを提供する。該ボタンが下に押されると、内容物は、該プレートボタンの中心を介して取り出される前に、短い経路を通過する。
【０００９】
しかし、図１及び図２に示すように、ディスペンスバルブ１が出口穴３を閉じる際、該出口穴３の内面４と該ディスペンスバルブ１の外面２との接触面積は小さい。さらに、該ディスペンスバルブ１が、該内容物によって不適切に上方へ移動されられる可能性もある。したがって、該従来のディスペンサーにはシールが不十分であるという問題がある。そのような不十分なシールのため、空気が該出口穴３と該ディスペンスバルブ１との間の隙間を介して流れて、該保管内容物の変質や変色が起こり得る。
【００１０】
よって、かかる問題は早急に解決されなくてはならない。
【発明の開示】
【発明が解決しようとする課題】
【００１１】
従って、本発明は、従来の技術において発生する上記問題を念頭に置いてなされたものであって、本発明の目的は、空気との接触により劣化される高粘度のクリームタイプ化粧品を入れてある密封容器の上部分に固定され、所定領域に凹面プッシュプレートの付いたボタンを備えているため、該内容物を上方向に取り出すことができる密閉型ディスペンスバルブユニットを備えたディスペンサーを提供することである。本発明は、該プレートボタンの中央部分に形成された出口穴と該出口穴を閉じるディスペンスバルブとの両方の構造を改善するので、空気が該容器に流入することを防止する。
【００１２】
本発明の別の目的は、プレートボタンの中央部分に設けられた出口穴、及び該出口穴を開閉するために該出口穴に嵌装されたディスペンスバルブが、分注される内容物を用いて薄いシーリングフィルムを形成するように製造される密閉型ディスペンスバルブユニットを備えたディスペンサーを提供することである。
【課題を解決するための手段】
【００１３】
上記目的を達成するために、本発明は、空気との接触により劣化される高粘度のクリームタイプ化粧品を入れる密封容器の口部に固定され、凹皿形状のボタンが押されて該ボタン下に設けられたポンプ手段が作動するとき、ボタン上部プレートの中心を介して内容物を放出する、密閉型ディスペンスバルブユニットを備えたディスペンサーを提供するものであって、該ディスペンサーには、傾斜内面が該出口穴の下部分を規定し、該傾斜内面の上部分から下部分方向にテーパーが付けられており、垂直内面が該傾斜内面の上端部から所定の高さに伸びる状態で、該ボタンの凹面中央部分に設けられた出口穴と、垂直外面が該傾斜外面の上端部から所定の高さに上向きに伸びる状態で、該ポンプ手段の動作によって選択的に該出口穴の傾斜内面と接触して該出口穴を開閉するために、その下部分に漏斗形傾斜外面を有するディスペンスバルブとが含まれることを特徴とする。
【００１４】
本発明によれば、該ディスペンスバルブの垂直外面の外径（ｄ）及び高さ（ｔ）は、該出口穴の垂直内面の内径（Ｄ）及び高さ（Ｔ）よりも小さいので、該内容物の一部によって該垂直外面と該垂直内面との間が満たされ、かくしてシーリングフィルムが提供されることになる。
【発明を実施するための最良の形態】
【００１５】
本発明の好適な実施形態を添付図面を参照して詳細に説明する。
【００１６】
図３は、本発明に係る密閉型ディスペンスバルブユニットを備えたディスペンサーの分解斜視図であり、図４は、本発明に係る密閉型ディスペンスバルブユニットを備えたディスペンサーの側面断面図であり、及び図５は、図４において丸で囲んだ「Ｂ」部分の拡大図である。
【００１７】
先ず、本発明の特徴を説明する前に、ポンプ手段を有するディスペンサー１０の全体的構造を説明する。
【００１８】
該ディスペンサー１０には、空気との接触により劣化される高粘度のクリームタイプ化粧品を入れるための密封容器の口部に固定されるハウジング２０が含まれる。所定領域を有する吸気ポート２２は、該ハウジング２０の中央部分から下向きに突出し、吸気バルブ４６によって開閉される。ポンプシリンダー２４は、該吸気ポート２２の外側部分から上向きに突出する。ボタン３０は、該ハウジング２０の口部に固定され、内容物を分注するために押し下げられるものである。
【００１９】
該ボタン３０は、所定領域を有する皿形状になっており、その中央が凹形になっている。出口穴は、該内容物を取り出すために該ボタン３０の中央部分に設けられている。ポンプ柄３２は、該出口穴の外側部分から下向きに突出し、該ハウジング２２のポンプシリンダー２４に連結される。
【００２０】
したがって、該ボタン３０が該ハウジング２０の上部分に固定される一方、該ボタン３０の上部プレートは押されて該ボタン３０を垂直に移動させる。この時点で、該ボタン３０下に設置されたポンプ手段４０は作動され、かくして該内容物が分注される。
【００２１】
該ポンプ手段４０は、該ポンプ柄３２と該ポンプシリンダー２４との間に設置される。該ポンプ手段４０には、ピストン４２、シールリング４４、及び該吸気バルブ４６が含まれる。該ピストン４２は該ポンプ柄３２に連結される。該シールリング４４は、該ポンプシリンダー２４の内面と密接し、垂直に移動して該内容物の放出を制御する。該吸気バルブ４６は、該ピストン４２内を垂直に移動して該吸気ポートを開閉する。したがって、該ボタン３０が押されると、該ポンプ手段４０は垂直に移動して該内容物を分注する。
【００２２】
さらに、該ポンプ作用によって該内容物が取り出されると、該容器内に設けられたプランジャー５０は該ポンプ圧力によって動かされて、該内容物取出量に比例して該内容物を強く押し上げる。このように、該内容物は連続的に分注されるのである。
【００２３】
かかるディスペンサー１０では、本発明は、該ボタン３０の中央部分に形成された該出口穴１００の形状、該出口穴１００を開閉するために用いられるディスペンスバルブ２００、及び該出口穴１００のディスペンスバルブ２００との連結構造を特徴とする。
【００２４】
該出口穴１００は、該ボタン３０の中央部分に設けられる。傾斜内面１１０は、該出口穴１００の下部分を規定し、該傾斜内面の上部分から下部分方向にテーパーが付けられている。さらに、垂直内面１２０は該傾斜内面１１０の上端部から所定の高さに伸びる。この場合、該傾斜内面１１０は、該ディスペンスバルブ２００が該出口穴１００に接触するとき、密閉効果を高めるのに好適な傾斜角度を持ち、該ディスペンスバルブ２００が該出口穴１００から間隙を介するときには、該内容物がスムーズに分注されることを可能にするのに好適である。
【００２５】
さらに、該出口穴１００を開閉する役割を果たす該ディスペンスバルブ２００は、その下部分に漏斗形状の傾斜外面２１０を持つ。垂直外面２２０は、該傾斜外面２１０の上端部から所定の高さに伸びる。この場合、該ディスペンスバルブ２００の傾斜外面２１０は、該ボタン３０が押されていないときに、該出口穴１００の傾斜内面１１０と完全に接触する。なお、該ボタン３０が押されると、該傾斜外面２１０は該傾斜内面１１０から間隙を介して位置するので、該内容物を該傾斜外面２１０と該傾斜内面１１０との間の隙間を介して分注することが可能になる。
【００２６】
さらに、該ディスペンスバルブ２００の垂直外面２２０の外径（ｄ）及び厚さ（ｔ）は、該出口穴１００の垂直内面１２０の内径（Ｄ）及び高さ（Ｔ）よりも小さい。かかる構造は、ディスペンスバルブ２００と該出口穴１００との間の隙間を介して該内容物が取り出されるとき、分注された内容物がシーリングフィルムを形成することを可能にするので、空気が該容器に流入することが防止される。
【００２７】
以下、本発明の動作を添付図面を参照して説明する。
【００２８】
図６は、該ディスペンスバルブが該出口穴から間隙を介して位置し、内容物を分注している状態を示す図であって、上記のように構設された該ディスペンサー１０が該密封容器の口部に固定される状態で、ユーザは該ボタン３０を押す。この時点で、該ボタン３０の下部分に連結される該ポンプ手段４０は下向きに動き、かくして該内容物が圧縮される。さらに、該ディスペンスバルブ２００の傾斜外面２１０は、該出口穴１００の傾斜内面１１０から間隙を介して位置し、その結果、該内容物は該傾斜外面２１０と該傾斜内面１１０との間の隙間を介して取り出される。
【００２９】
該出口穴１００の傾斜内面１１０と該ディスペンスバルブ２００の傾斜外面２１０との間の隙間を介して供給された該内容物は、垂直方向に取り出される前に、出口穴１００の垂直内面１２０と該ディスペンスバルブ２００の垂直外面２２０との間に導かれる。
【００３０】
この方法で取り出された該内容物は、該出口穴１００の垂直内面１２０及び該ディスペンスバルブ２００の垂直外面２２０によって一箇所に集中される。
【００３１】
図７は、該ディスペンスバルブが該出口穴と密接して位置して該出口穴を閉じている状態を示す図である。
【００３２】
該内容物が分注され、その後に該ボタン３０が解除されると、該ボタン３０は、該ポンプ手段４０によって上向きに移動され、その結果、該ディスペンスバルブ２００の傾斜外面２１０は、該出口穴１００の傾斜内面１１０と密接する。
【００３３】
それによって、該出口穴１００は閉じられる。
【００３４】
引き続いて、ユーザが、該出口穴１００から上向きに取り出された該内容物を指で除去すると、出口穴１００の垂直内面１２０と該ディスペンスバルブ２００の垂直外面２２０との間の該内容物は、薄いシーリングフィルムを提供し、かくして空気が該容器に流入することが防止される。
【００３５】
よって、前述の構造と動作により、空気の該ディスペンサー１０への侵入が防止され、かくして該内容物の劣化が防止される。
【００３６】
本発明の好適な実施形態は例示的な目的で開示したものであって、当業者であれば、種々の変更、付加および代替を添付の特許請求の範囲で開示した本発明の範囲および真の趣旨から逸脱することなく行い得ることを理解されるであろう。
【産業上の利用可能性】
【００３７】
上記のように、本発明は、空気との接触によって容易に劣化する高粘度のクリームタイプ化粧品を入れる密封容器の上部分に固定され、かつ所定領域に凹面プッシュプレートの付いたボタンを備えて該内容物を上向きに放出する、密閉型ディスペンスバルブユニットを備えたディスペンサーを提供する。本発明により、該プレートボタンの中央部分に形成された出口穴と該出口穴を閉じるディスペンスバルブとの両方の構造が改善されるので、空気が該容器に流入することが防止され、よって該内容物の変質や変色が防止され、該内容物の長期間にわたる保管及び使用が可能となる。
【００３８】
さらに、本発明によれば、プレートボタンの中央部分に設けられた出口穴、及び該出口穴を開閉するために該出口穴に嵌装されたディスペンスバルブは、分注される内容物を用いて薄いシーリングフィルムを形成するように製造される。
【図面の簡単な説明】
【００３９】
【図１】従来のディスペンサーの構造を示す側面断面図。
【図２】図１において丸で囲んだ「Ａ」部分の拡大図。
【図３】本発明に係る密閉型ディスペンスバルブユニットを備えたディスペンサーの分解斜視図。
【図４】本発明に係る密閉型ディスペンスバルブユニットを備えたディスペンサーの側面断面図。
【図５】図４において丸で囲んだ「Ｂ」部分の拡大図。
【図６】ディスペンスバルブが出口穴から間隙を介して位置して内容物を分注している状態を示す図。
【図７】該ディスペンスバルブが該出口穴と密接して位置して該出口穴を閉じている状態を示す図。
【図１】
2007529375.tif 000003
【図２】
2007529375.tif 000004
【図３】
2007529375.tif 000005
【図４】
2007529375.tif 000006
【図５】
2007529375.tif 000007
【図６】
2007529375.tif 000008
【図７】
2007529375.tif 000009
【国際調査報告】
2007529375.tif 000010
2007529375.tif 000011